(57)【特許請求の範囲】
【請求項１】
ズームレンズの焦点距離を変更するズーム変更部と、
前記ズームレンズにより撮像領域に投影された被写体の像を光電変換する撮像部と、
前記被写体までの距離を検出する測距部と、
所定の印刷サイズを設定するサイズ設定部と、
印刷倍率を設定する倍率設定部と、
前記所定の印刷サイズを前記印刷倍率で除算した大きさに前記被写体の位置における撮影範囲の大きさを固定する指定範囲撮影モードに設定するためのモード設定手段と、
前記指定範囲撮影モードに設定された際には、前記モード設定手段によって前記所定の印刷サイズを前記印刷倍率で除算した大きさに設定された前記撮影範囲と、前記測距部によって検出された前記被写体までの距離とに基づいて、前記撮影範囲が前記撮像部の撮像領域のほぼ全域に投影されるように前記ズーム変更部を制御するズーム制御部とを備えたことを特徴とする電子カメラ。
【請求項２】
ズームレンズの焦点距離を変更するズーム変更部と、
前記ズームレンズにより撮像領域に投影された被写体の像を光電変換する撮像部と、
前記被写体までの距離を検出する測距部と、
所定の印刷サイズを印刷倍率で除算した大きさに前記被写体の位置における撮影範囲の大きさを固定する指定範囲撮影モードに設定するためのモード設定手段と、
前記指定範囲撮影モードに設定されたときに、前記ズーム変更部によって前記ズームレンズの焦点距離を第１及び第２の焦点距離に変更し、前記第１及び第２の焦点距離の各々において、所定の印刷サイズの基準画像を前記撮像部の撮像領域のほぼ全域に投影したときの前記基準画像までの距離である第１及び第２の基準画像距離を前記測距部によって検出し、
前記第１及び第２の焦点距離と前記第１及び第２の基準画像距離と前記測距部によって検出された前記被写体までの距離とに基づいて、前記撮影範囲が前記撮像部の撮像領域のほぼ全域に投影されるための前記ズームレンズの焦点距離を算出する焦点距離演算部と、
前記ズームレンズの焦点距離が前記焦点距離演算部で算出された前記焦点距離に一致するように前記ズーム変更部を制御するズーム制御部とを備えたことを特徴とする電子カメラ。
【請求項３】
請求項１または２に記載の電子カメラにおいて、
前記ズームレンズの焦点距離が最大であって、前記撮像領域のほぼ全域に投影される被写体の範囲の大きさが前記撮影範囲の大きさより大きい場合に、前記撮像部からの画像情報に基づく被写体画像および前記撮影範囲にほぼ対応する範囲を示す範囲表示マークを重ねて表示する表示モニタを設けたことを特徴とする電子カメラ。
【請求項４】
請求項３に記載の電子カメラにおいて、
前記範囲表示マークで示された範囲の画像情報を記憶領域に記憶する記憶制御部を設けたことを特徴とする電子カメラ。
【請求項５】
請求項４に記載の電子カメラにおいて、
前記記憶制御部は、前記所定の印刷サイズを前記画像情報に関連付けて前記記憶領域に記憶することを特徴とする電子カメラ。
【請求項６】
請求項１〜５のいずれかに記載の電子カメラにおいて、
前記撮像部からの画像情報に基づく被写体画像の一部を電子的に拡大する電子ズーム手段と、
前記ズームレンズの焦点距離が最大であって、前記撮像領域のほぼ全域に投影される被写体の範囲の大きさが前記撮影範囲の大きさより大きい場合に、前記撮像部からの画像情報に基づく被写体画像中の前記撮影範囲内の被写体に対応する画像が、前記被写体画像と等しい大きさに拡大されるように前記電子ズーム手段を制御する電子ズーム制御部とをさらに備えたことを特徴とする電子カメラ。
【請求項７】
請求項１〜６のいずれかに記載の電子カメラにおいて、
前記ズームレンズの焦点距離が最小であって、前記撮像領域のほぼ全域に投影される被写体の範囲の大きさが前記撮影範囲の大きさより小さい場合に警告を発する警告手段を設けたことを特徴とする電子カメラ。
【請求項８】
請求項１〜６のいずれかに記載の電子カメラにおいて、
前記ズームレンズの焦点距離が最小であって、前記撮像領域のほぼ全域に投影される被写体の範囲の大きさが前記撮影範囲の大きさより小さい場合に前記被写体画像を電子的に間引く間引き手段を設けたことを特徴とする電子カメラ。
【請求項９】
請求項１〜８のいずれかに記載の電子カメラであって、
前記指定範囲撮影モードが設定されたときに、前記ズームレンズをマクロ位置に調整するレンズ駆動部をさらに備えたことを特徴とする電子カメラ。
【請求項１０】
請求項１〜８のいずれかに記載の電子カメラにおいて、
前記所定の印刷サイズを表すマークを表示する表示手段を設けたことを特徴とする電子カメラ。
【請求項１１】
ズームレンズの焦点距離を変更するズーム変更部と、
前記ズームレンズにより撮像領域に投影された被写体の像を光電変換する撮像部と、
前記被写体までの距離を検出する測距部と、
所定の印刷サイズを印刷倍率で除算した大きさに前記被写体の位置における撮影範囲の大きさを固定する指定範囲撮影モードに設定するためのモード設定手段と、
前記指定範囲撮影モードに設定された際には、前記モード設定手段によって前記所定の印刷サイズを前記印刷倍率で除算した大きさに設定された前記撮影範囲と、前記測距部によって検出された前記被写体までの距離とに基づいて、前記撮影範囲が前記撮像部の撮像領域のほぼ全域に投影されるように前記ズーム変更部を制御するズーム制御部と、
前記指定範囲撮影モード時に撮影された画像を前記所定の印刷サイズと同じ大きさに印刷する印刷装置とを備えたことを特徴とするカメラシステム。
【発明の詳細な説明】
【０００１】
【発明の属する技術分野】
本発明は、電子カメラ、および撮影した被写体画像を指定した倍率で印刷することができるカメラシステムに関する。
【０００２】
【従来の技術】
従来、電子カメラで撮影した後には、撮影された画像データはメモリカード等の記録媒体や通信ケーブル等を介してパソコンに取り込まれるのが一般的である。このパソコンに取り込まれた画像は、プリンタを用いて印刷することができる。その場合、例えば印刷用のアプリケーションソフトにより印刷サイズや印刷解像度を指定して印刷を行うことができる。
【０００３】
【発明が解決しようとする課題】
しかしながら、所望の印刷サイズや印刷解像度で印刷ができても、撮影された被写体を実物と同じ大きさ（等倍）または指定の倍率で印刷しようとした場合、適当な方法がなかった。
【０００４】
本発明の目的は、被写体画像を実物と同じ大きさ、または指定した倍率で印刷することができる電子カメラおよびカメラシステムを提供することにある。
【０００５】
請求項１の発明による電子カメラは、ズームレンズの焦点距離を変更するズーム変更部と、前記ズームレンズにより撮像領域に投影された被写体の像を光電変換する撮像部と、前記被写体までの距離を検出する測距部と、所定の印刷サイズを設定するサイズ設定部と、印刷倍率を設定する倍率設定部と、前記所定の印刷サイズを前記印刷倍率で除算した大きさに前記被写体の位置における撮影範囲の大きさを固定する指定範囲撮影モードに設定するためのモード設定手段と、前記指定範囲撮影モードに設定されたときに、前記ズーム変更部によって前記ズームレンズの焦点距離を第１及び第２の焦点距離に変更し、前記第１及び第２の焦点距離の各々において、所定の印刷サイズの基準画像を前記撮像部の撮像領域のほぼ全域に投影したときの前記基準画像までの距離である第１及び第２の基準画像距離を前記測距部によって検出し、前記第１及び第２の焦点距離と前記第１及び第２の基準画像距離と前記測距部によって検出された前記被写体までの距離とに基づいて、前記撮影範囲が前記撮像部の撮像領域のほぼ全域に投影されるための前記ズームレンズの焦点距離を算出する焦点距離演算部と、前記ズームレンズの焦点距離が前記焦点距離演算部で算出された前記焦点距離に一致するように前記ズーム変更部を制御するズーム制御部とを備えたことを特徴とする。
請求項２の発明による電子カメラは、ズームレンズの焦点距離を変更するズーム変更部と、前記ズームレンズにより撮像領域に投影された被写体の像を光電変換する撮像部と、前記被写体までの距離を検出する測距部と、所定の印刷サイズを印刷倍率で除算した大きさに前記被写体の位置における撮影範囲の大きさを固定する指定範囲撮影モードに設定するためのモード設定手段と、前記指定範囲撮影モードに設定されたときに、前記ズーム変更部によって前記ズームレンズの焦点距離を第１及び第２の焦点距離に変更し、前記第１及び第２の焦点距離の各々において、所定の印刷サイズの基準画像を前記撮像部の撮像領域のほぼ全域に投影したときの前記基準画像までの距離である第１及び第２の基準画像距離を前記測距部によって検出し、前記第１及び第２の焦点距離と前記第１及び第２の基準画像距離と前記測距部によって検出された前記被写体までの距離とに基づいて、前記撮影範囲が前記撮像部の撮像領域のほぼ全域に投影されるための前記ズームレンズの焦点距離を算出する焦点距離演算部と、前記ズームレンズの焦点距離が前記焦点距離演算部で算出された前記焦点距離に一致するように前記ズーム変更部を制御するズーム制御部とを備えたことを特徴とする。
請求項１１の発明によるカメラシステムは、ズームレンズの焦点距離を変更するズーム変更部と、前記ズームレンズにより撮像領域に投影された被写体の像を光電変換する撮像部と、前記被写体までの距離を検出する測距部と、所定の印刷サイズを印刷倍率で除算した大きさに前記被写体の位置における撮影範囲の大きさを固定する指定範囲撮影モードに設定するためのモード設定手段と、前記指定範囲撮影モードに設定された際には、前記モード設定手段によって前記所定の印刷サイズを前記印刷倍率で除算した大きさに設定された前記撮影範囲と、前記測距部によって検出された前記被写体までの距離とに基づいて、前記撮影範囲が前記撮像部の撮像領域のほぼ全域に投影されるように前記ズーム変更部を制御するズーム制御部と、前記指定範囲撮影モード時に撮影された画像を前記所定の印刷サイズと同じ大きさに印刷する印刷装置とを備えたことを特徴とする。
【０００７】
【発明の実施の形態】
−第１の実施の形態−
以下、図を参照して本発明の実施の形態を説明する。図１は本発明による電子カメラの一実施の形態を示す図であり、（ａ）は電子カメラを上方から見た平面図、（ｂ）はカメラを後方から見た背面図である。図１（ａ）に示すように、電子カメラ１の上面には、電源のオン／オフ操作を行うメインスイッチ４と、レリーズボタン５と、記録モードと再生モードとの切換操作を行うコマンドダイヤル６と、カメラ情報を表示する表示パネル７とが設けられている。ここで、記録モードとは被写体像を撮影し、その画像データを記録することができるモードであり、再生モードとは記録した画像データを読み出してカメラ背面に設けられた表示ＬＣＤ３（図１（ｂ）参照）に再生表示するモードである。
【０００８】
また、図１（ｂ）に示すように、カメラ背面には、画像表示用の表示ＬＣＤ３の他に、ファインダー接眼窓８、撮影光学系２をズーム操作するためのズーム切換ボタン９や各種操作ボタンが設けられている。ズーム切換ボタン９は、そのＷ側が押し込まれると撮影光学系２が広角側に駆動され、Ｔ側が押し込まれると望遠側に駆動される。記録モード時には後述するＣＣＤ２１４により撮像された被写体像が表示ＬＣＤ３に逐次表示され、再生モードでは後述する記録媒体４２４に記憶されている画像のサムネイル表示や個々の画像の再生表示などが表示ＬＣＤ３により行われる。
【０００９】
１０は表示ＬＣＤ３に設定メニューを表示させるためのメニューボタンであり、各種設定を行う際に設定メニューを表示させて選択ボタン１１ａ〜１１ｄにより設定すべき項目を選択する。後述する印刷サイズ設定の際には、ボタン１０，１１ａ〜１１ｄを操作して印刷サイズ設定メニューを表示ＬＣＤ３に表示させ、選択ボタン１１ａ〜１１ｄの操作して表示された複数の印刷サイズから所望のサイズを選択する。本実施の形態の電子カメラ１は、被写体位置における撮影範囲の大きさを選択された印刷サイズに固定して撮影する指定サイズ撮影モードと、従来の電子カメラの記録モードに相当する通常撮影モードとを有している。このモードの切り換えはモード切換ボタン１２により行う。なお、各モードの詳細は後述する。
【００１０】
図２は図１に示した電子カメラの回路ブロック図である。ＲＯＭ４４３には、電子カメラ１の制御プログラムが記憶されている。図１のメインスイッチ４をオンにすると電子カメラ１の電源がオンとなり、この制御プログラムがＣＰＵ４３９によって起動される。図１のコマンドダイヤル６により記録モードに設定されると、電子カメラ１は撮影可能となる。一方、コマンドダイヤル６により再生モードに設定されると、記録媒体であるメモリカード４２４に記録されている画像データに基づく画像を表示ＬＣＤ３に再生表示することができる。なお、記録モード時には、ＣＣＤ２１４からの撮像信号に基づく画像が表示ＬＣＤ３に表示される。
【００１１】
撮影光学系２は複数のレンズ２０１〜２０４を有しており、焦点調節動作はレンズ駆動回路４３０により行われる。このレンズ駆動回路４３０による焦点調節動作は、通常、ＣＰＵ４３９の指令により行われるが、距離環４６２をマニュアル操作した際に出力される操作信号によっても焦点調節動作を行わせることができる。
【００１２】
撮影光学系２のレンズ２０３とレンズ２０４との間には、シャッタ板２０８および絞り２１５が設けられている。撮影光学系２に入射した被写体光は、レンズ２０１〜２０４、シャッタ板２０８および絞り板２１５を通過してＣＣＤ２１４の撮像面上に結像される。絞り板２１５およびシャッタ板２０８は円盤状に形成されており、円盤の回転中心にそれぞれ設けられたステップモータ４１５、４０８により駆動される。絞り板２１５には開口面積の異なる複数の絞り開口部（不図示）が設けられており、ステップモータ４１５で絞り板２１５を回転させて任意の１つの絞り開口部を光軸上に配設する。
【００１３】
シャッタ板２０８にはレンズ２０３を通過した全ての光束を遮光する完全遮光部（不図示）と、全ての光束を通過させる開口部（不図示）とが設けられている。露光時にはシャッタ板２０８の開口部が光路上にセットされ、露光終了とともに完全遮光部が光路上にセットされる。絞り板２１５を回動するステップモータ４１５は、駆動回路４５３により駆動制御される。シャッタ板２０８を回動するステップモータ４０８は、シャッタ駆動回路４５４により駆動制御される。
【００１４】
撮影の際には、まず、ＣＣＤ２１４に蓄積されている電荷が排出されるとともに、絞り板２１５の所定の開口部が光路上にセットされる。そして、ＣＣＤ２１４が所定時間露光されると電荷が再び蓄積される。上記電荷の排出から再びシャッタ板２０８の完全遮光部で光路が遮光されるまでの時間が、露光時間に対応している。
【００１５】
撮影光学系２によりＣＣＤ２１４の撮像面上に被写体像が結像されると、被写体像の光の強弱に応じた信号電荷が蓄積される。ＣＣＤ２１４にはデジタルシグナルプロセッサ(以下、ＤＳＰと呼ぶ)４３３から水平駆動信号が供給されるとともに、ＤＳＰ４３３により制御されるＣＣＤ駆動回路４３４から垂直駆動信号が供給される。すなわち、ＣＣＤ２１４はＤＳＰ４３３およびＣＣＤ駆動回路４３４によりタイミング制御され、ＣＣＤ２１４からの信号は画像処理部４３１に入力される。
【００１６】
画像処理部４３１はノイズ除去回路や直流再生回路などを有しており、ＣＣＤ２１４から出力された画像信号に対してノイズ除去、ゲインコントロールなどのアナログ処理を施す。画像処理部４３１から出力されたアナログの画像信号は、アナログ／デジタル変換回路(以下、Ａ／Ｄ変換回路と呼ぶ)４３２によりデジタル信号に変換される。変換後のデジタル画像データは、上述したＤＳＰ４３３に入力される。
【００１７】
ＤＳＰ４３３では、Ａ／Ｄ変換回路４３２から出力された画像データに対して輪郭補償やガンマ補正、ホワイトバランス調整などの画像処理が施される。また、ＤＳＰ４３３はバッファメモリ４３６およびメモリカード４２４に接続されているデータバスを制御して、各種画像処理が施された画像データをバッファメモリ４３６に一旦記憶させた後に、バッファメモリ４３６から画像データを読出し、所定の圧縮形式（例えば、ＪＰＥＧ方式）でデータ圧縮してメモリカード４２４に記録させる。
【００１８】
また、ＤＳＰ４３３は、ＣＣＤ２１４で撮像され上記画像処理が行われた後の画像データやメモリカード４２４から読み出され伸張された画像データをフレームメモリ４３５に記憶させ、それらの画像データに基づく画像を電子カメラ１に設けられた表示ＬＣＤ３に表示させる。さらに、ＤＳＰ４３３は、上述した画像データのメモリカード４２４への記録や伸張後の撮影画像データのバッファメモリ４３６への記録などにおける、データ入出力のタイミング管理も行う。
【００１９】
ＣＣＤ２１４の出力に基づく画像データが一時的に格納されるバッファメモリ４３６は、メモリカード４２４に対する画像データの入出力の速度の違いや、ＣＰＵ４３９やＤＳＰ４３３等における処理速度の違いを緩和するために利用される。タイマ４４５は時計回路を内蔵し、現在の時刻に対応するタイムデータをＣＰＵ４３９に出力するとともに、後述するモニタオンオフ制御の際のタイマとしても用いられる。このタイムデータは、上述した画像データとともにメモリカード４２４に記録される。
【００２０】
測色素子４１７は主要被写体およびその周囲の色温度を検出し、検出した色温度のデータを測色回路４５２へ出力する。測色回路４５２は測色素子４１７から出力されたアナログ信号に所定の処理を施してデジタル値に変換し、変換後のデジタル信号をＣＰＵ４３９へ出力する。インターフェース４４８は所定の外部装置(不図示)を接続して、ＣＰＵ４３９および接続した外部装置との間でデータの送受を行うように設けられている。４４０は、撮影動作における設定内容が表示される表示パネル７を制御する表示回路である。なお、表示ＬＣＤ３または表示パネル７には、後述する印刷サイズが表示される。
【００２１】
次に、電子カメラ１の動作説明を行う。上述したように、電子カメラ１では、コマンドダイヤル６により記録モードと再生モードとの切換操作を行うことができる。記録モードとしては、従来の電子カメラの記録モードに対応する通常撮影モードと、被写体位置における撮影範囲が設定された印刷サイズと同一となるように、自動的にズーム調整が行われる指定サイズ撮影モードとを有している。まず、従来の電子カメラと同様の動作である通常撮影モードおよび再生モードについて説明する。
【００２２】
[通常撮影モードの説明]
記録モードおよび再生モードの選択はコマンドダイヤル６の操作によって行う。撮影を行う場合には、コマンドダイヤル６を記録モードに設定してメインスイッチ４をオンとするか、メインスイッチ４をオンとした後にコマンドダイヤル６を記録モードに設定する。ＣＣＤ２１４から出力された画像信号は、画像処理部４３１でノイズ除去やゲインコントロールなどのアナログ処理が施された後に、Ａ／Ｄ変換回路４３２によりデジタル信号に変換される。デジタル変換された信号は上述したＤＳＰ４３３に導かれ、そこで輪郭補償、ガンマ補正等の画像前処理が行われて一旦バッファメモリ４３６に格納される。
【００２３】
その後、ＣＰＵ４３９とバッファメモリ４３６との間で画像データの授受を行って画像データからホワイトバランス調整値を求め、この調整値に基づいてＤＳＰ４３３でホワイトバランス調整が行われる。ホワイトバランス調整後の画像データは、再びバッファメモリ４３６へ格納される。バッファメモリ４３６に格納された画像データは、ＤＳＰ４３３において表示ＬＣＤ３に表示するための画像データに処理される。処理された画像データはフレームメモリ４３５に書き込まれ、スルー画像と呼ばれる撮影モニタ画像として表示ＬＣＤ３に表示される。このスルー画像は、以上の動作が繰り返し行われることにより、撮影光学系２に入射される被写体光に基づいて所定の間隔で逐次更新される。
【００２４】
レリーズボタン５の半押しにより不図示の半押しスイッチがオンとされると、画像データのコントラストに基づいて撮影光学系２の焦点調節状態が検出され、ピントの合った被写体像がＣＣＤ２１４上に結像されるようにレンズ駆動回路４３０による焦点調節動作が行われる。また、レリーズボタン５が半押しされると、ＣＰＵ４３９により画像データから被写体の輝度が検出され、検出された輝度に基づいた露出演算が行われる。
【００２５】
なお、電子カメラ１では、焦点調節動作として「コンティニュアスＡＦモード」と呼ばれるモードと、「シングルＡＦモード」と呼ばれるモードとを有している。コンティニュアスＡＦモードでは、レリーズボタン５の操作に関係なく焦点調節動作が繰り返し行われ、レリーズボタン５の半押しによりフォーカスロックされる。一方、シングルＡＦモードでは、レリーズボタン５が半押しさたときにのみ焦点調節動作が行われフォーカスロックされる。
【００２６】
レリーズボタン５の半押しに続いて、さらにレリーズボタン５が全押しされると不図示の全押しスイッチがオンとなる。その結果、ＣＣＤ２１４に蓄積されている信号電荷が一旦吐き出された後に、シャッタ板２０８と絞り板２１５とが露出演算の結果に基づいて駆動され、ＣＣＤ２１４による撮像が行われる。
【００２７】
この撮像によりＣＣＤ２１４から出力された画像信号は、上述した一連の処理が施されバッファメモリ４３６に格納される。バッファメモリ４３６に格納された画像データは、ＤＳＰ４３３において表示ＬＣＤ３に表示するための画像データに処理された後にフレームメモリ４３５に書き込まれ、フリーズ画像と呼ばれる撮影画像が表示ＬＣＤ３に表示される。このような画像前処理が行なわれた画像データは、さらにＤＳＰ４３３によりデータ圧縮が行われ、ＣＰＵ４３９により所定のデータ名を付与されてタイマ４４５からのタイム情報とともに、フラッシュメモリ等の記録媒体（ＰＣカード、ＣＦカードなど）であるメモリカード４２４に記録される。
【００２８】
本実施の電子カメラ１は電子ズーム機能を備えており、設定された倍率Ｙに応じて画像データを補間処理して画像を電子的に拡大することができる。ＣＰＵ４３９の指令によりＤＳＰ４３３が電子ズーム倍率Ｙを設定し、設定された倍率Ｙに応じて画像データを補間処理する。ＣＰＵ４３９には、ズーム切換ボタン９の操作によるズーム信号およびレリーズボタン５の操作による半押し操作信号と全押し操作信号がそれぞれ入力される。
【００２９】
ズーム切換ボタン９が望遠側(Ｔ)に操作されると、ＣＰＵ４３９がレンズ駆動回路４３０を駆動して光学的にズーム倍率を拡大する。そして、光学的な倍率が所定の最大値に達してなおズーム切換ボタン９が望遠側(Ｔ)に操作されると、操作量に応じて電子ズーム倍率Ｙを決定する。電子ズーム倍率がＹの場合に、被写体像の中央部を中心にして縦横１／Ｙの領域の画像データが抽出される。ＤＳＰ４３３は、抽出された画像データに対して所定の画像処理を行い、さらに、画像処理により算出された輝度信号および色差信号を縦横Ｙ倍に補間処理する。
【００３０】
［再生モードについて］
コマンドダイヤル６により再生モードに切り換えると、メモリカード４２４に記録されている画像データが読み込まれてバッファメモリ４３６に格納される。通常は、メモリカード４２４に最後に記録された画像データ、または最初に記録された画像データが読み込まれる。バッファメモリ４３６に格納された画像データはＣＰＵ４３９により読み出され、ＤＳＰ４３３により表示用の画像データに処理され、表示ＬＣＤ３に再生画像として表示される。なお、メモリカード４２４に画像データが記録されていない場合には、画像データが無いこと示すメッセージが表示ＬＣＤ３に表示される。
【００３１】
表示ＬＣＤ３に画像が再生されている状態で図１の選択ボタン１１ａまたは１１ｃを操作すると、１コマ前の画像データがメモリカード４２４から読み出され、その再生画像が表示ＬＣＤ３に表示される。一方、選択ボタン１１ｂまたは１１ｄを操作すると、１コマ後の画像データが読み込まれてその再生画像が表示ＬＣＤ３に表示される。このように、再生モード中は表示ＬＣＤ３に再生画像が表示されるが、撮影モードのようにＣＣＤ２１４で撮像されている被写体像を表示することはできない。また再生モード時には、撮影に関する焦点調節動作や露出検出などは行われない。
【００３２】
[指定サイズ撮影モードの説明]
次に指定サイズ撮影モードについて説明する。上述したように、指定サイズ撮影モードでは、撮影範囲が設定された印刷サイズと同一となるようにズーム調整が行われる。以下では印刷サイズをＳ、撮影範囲をＷと記す。本実施の形態の電子カメラ１では、予め複数の印刷サイズＳが設定されていて、それらから所望のサイズを指定できるような構成となっている。いずれのサイズに設定するかは、上述したメニューボタン１０および選択ボタン１１ａ〜１１ｄを用いて行う。具体的には、まず、メニューボタン１０により表示ＬＣＤ３に印刷サイズ設定メニューを表示させる。印刷サイズ設定メニューには各サイズの記号が表示され、選択ボタン１１ａ〜１１ｄを用いて何れか一つを選択することにより、選択されたサイズＳに撮影範囲Ｗが設定される。
【００３３】
例えば、印刷サイズＳがＡ４サイズに設定されていたとする。この場合、レリーズボタン５を半押しすると、被写体中のＡ４サイズ範囲がＣＣＤ２１４の撮像領域全体に投影されるように撮影光学系２が駆動される。その結果、表示ＬＣＤ３の全体にＡ４サイズの撮影範囲の画像が表示される。
【００３４】
図３は、被写体撮影から等倍画像の印刷までを行うカメラシステムの概略構成を示す図である。電子カメラ１で撮影された画像データは、カメラ１に着脱自在なメモリカード４２４を介してパソコン２０に取り込まれる。または、通信ケーブル２１を介してカメラ１からパソコン２０に画像データを転送しても良く、無線もしくはインターネット回線を介してパソコン２０に画像データを転送しても良い。パソコン２０には、表示モニタ２２およびプリンタ２３が接続されている。パソコン２０にはプリンタ２３を駆動するドライバソフトがインストールされており、画像を印刷する際の解像度や印刷サイズＳを自由に設定することができる。なお、パソコン２０を介さずに、プリンタ２３に直接画像データを入力するような構成としても良い。
【００３５】
図４は、図３に示したカメラシステムの撮影から印刷までの概略手順を示すフローチャートである。図４において、ステップＳ１０１からステップＳ１０３までがカメラ１側で行われる撮影の手順であり、ステップＳ１０４からステップＳ１０７までが印刷に関する手順である。印刷サイズＳの設定は、メニューボタン１０および選択ボタン１１ａ〜１１ｄの操作により予め設定される。
【００３６】
ステップＳ１０１では、モード切換ボタン１２により通常撮影モードから指定サイズ撮影モードに切り換える。なお、上述したように印刷サイズＳは予め設定されているが、モード切換時に設定しても良い。また、後述するように（図８参照）、指定サイズ撮影モード時に、表示ＬＣＤ３や表示パネル７に印刷サイズＳを表すマーク３３を表示するようにしても良い。ステップＳ１０２では、指定サイズ撮影モードでカメラ撮影が行われる。ステップＳ１０３では、設定された印刷サイズＳを含むヘッダ情報および画像データがメモリカード４２４に記録される。
【００３７】
ステップＳ１０４では、例えば、メモリカード４２４をカメラ１から抜き取って図３のパソコン２０に装着するなどして、カメラ１から上記ヘッダ情報および画像データをパソコン２０側に読み込む。ステップＳ１０５では、設定された印刷サイズＳまたは後述する印刷解像度に合わせて画像処理する。なお、プリンタ２３には電子カメラ１の表示ＬＣＤ３または表示パネル７に表示される印刷サイズＳと同一サイズの用紙が給紙されている。ステップＳ１０６では、印刷に使用される用紙サイズが表示モニタ２２に表示される。ステップＳ１０７では、プリンタ２３により画像が等倍印刷される。
【００３８】
次に、図３のステップＳ１０１からステップＳ１０３までに示したカメラ側の手順を、図５および図６のフローチャートを用いてより詳細に説明する。図５，６は、カメラ１のＣＰＵ４３９で実行されるプログラムの処理手順を示すフローチャートである。ステップＳ２０１では、モード切換ボタン１２が操作されて指定サイズ撮影モードに切り換えられたか否かを判定する。ステップＳ２０１において指定サイズ撮影モードに切り換えられたと判定されると、ステップＳ２０２へ進む。一方、ステップＳ２０１で指定サイズ撮影モードに切り換えられていないと判定されると、すなわち通常撮影モードに設定されている場合には、ステップＳ２０６へ進んで通常撮影モードに関する一連の処理が行われる。
【００３９】
ステップＳ２０２では、撮影光学系２を所定のマクロ位置に調整する。すなわち、指定サイズ撮影モードでは印刷サイズＳ（例えば、Ａ４サイズやＢ５サイズ）の撮影範囲ＷがＣＣＤ２１４の撮像面全域に投影され、被写体は非常に近づいた状態となるので、撮影光学系２を自動的にマクロ位置に設定するようにした。ステップＳ２０３では、設定されている印刷サイズＳを示す表示を表示ＬＣＤ３または表示パネル７に表示する。
【００４０】
ステップＳ２０４では、使用者が不図示の操作部材によりマクロモードを解除したか否かを判定するステップである。ステップＳ２０４において解除されたと判定されるとステップＳ２０６へ進み、解除されていないと判定されるとステップＳ２０５へ進む。ステップＳ２０５では、レリーズボタン５が半押しされたか否かを判定し、半押しされたと判定されるとステップＳ２０７に進み、半押しされていないと判定されるとステップＳ２０１へ戻る。
【００４１】
ステップＳ２０７では、レンズ駆動回路４３０により撮影光学系２の焦点調節動作を行い、そのときの被写体までの距離Ｌを算出する。ステップＳ２０８では、撮像領域の全体に印刷サイズＳの撮影範囲Ｗが投影される場合の焦点距離ｆ0、および後述する印刷解像度ｋをそれぞれ算出する。
【００４２】
図７は被写体とＣＣＤ２１４との関係を示す図であり、印刷サイズＳに等しい大きさの撮影範囲ＷがＣＣＤ２１４の撮像領域の全体に投影されている。なお、図７では、撮影範囲を示す符号Ｗは被写体位置における撮影範囲の長手寸法、すなわち、図１のカメラ１を正立で構えたときの横寸法であり、印刷サイズＳ（例えば、Ａ４サイズ）の長手寸法に対応している。また、ＮはＣＣＤ２１４の撮像領域の幅方向の画素数であり、Ｐは画素ピッチである。焦点距離ｆ0，撮影光学系２と撮像面との距離ｆ’および被写体距離Ｌの間には次式（１）の関係が常に成り立つ。
【数１】
１／Ｌ＋１／ｆ’＝１／ｆ0      …（１）
【００４３】
一方、印刷サイズＳの撮影範囲ＷがＣＣＤ２１４の撮像領域の全体に投影されているときには、図７のｆ’は式（２）が成り立っている。すなわち、式（１），（２）の両方が満足されるような焦点距離ｆ0に調整すれば良い。
【数２】
ｆ’／Ｌ＝Ｎ・Ｐ／Ｓ
ｆ’＝（Ｎ・Ｐ・Ｌ）／Ｓ      …（２）
【００４４】
また、図７に示すように寸法Ｗ（＝Ｓ）（mm）にはＮ画素が対応しているので、ＣＣＤ２１４により撮像された画像を印刷サイズＳに印刷する場合には、そのときの印刷解像度ｋを次式（３）のように設定すれば良い。上述したステップＳ２０８では、式（１），（２）とから焦点距離ｆ0を算出するとともに、次式（３）により印刷解像度ｋを算出する。
【数３】
ｋ＝Ｎ／Ｓ      …（３）
【００４５】
ステップＳ２０９では、ステップＳ２０８で算出された焦点距離ｆ0が、撮影光学系２の望遠側の最長焦点距離ｆmaxより大きいか否かを判定する。ステップＳ２０９において、ｆ0≦ｆmaxと判定されるとステップＳ２１６へ進み、ｆ0＞ｆmaxと判定されるとステップＳ２１０へ進む。ｆ0＞ｆmaxの場合には、たとえｆmaxまでズームアップしても、図８（ａ）に示すように、表示ＬＣＤ３には被写体画像３０の撮影範囲３１よりも大きな範囲が表示されることになる。
【００４６】
ステップＳ２１０では、（ｆ0／ｆmax）が所定の電子的ズーム倍率Ｍmaxより大きいか否かを判定する。なお、以下では、「倍率」は面積の倍率ではなく長さの倍率であるとして説明する。ステップＳ２１０において「（ｆ0／ｆmax）＞Ｍmax」と判定されると、ステップＳ２１１へ進んで撮影光学系２の焦点距離ｆをｆmaxに設定するとともに、電子ズーム倍率をＭmaxに設定する。ステップＳ２１２では、図８（ｂ）に示すように、図８（ａ）の画像をＭmax倍に拡大して表示するとともに、印刷サイズＳを示す枠３２を重ねて表示する。なお、表示ＬＣＤ３の左上隅には印刷サイズＳを示すマーク３３が表示されている。図８に示す例では、印刷サイズＳはＡ４サイズであって、「Ａ４」というマーク３３が表示されている。
【００４７】
ステップＳ２１３では、印刷サイズＳに一致する撮影範囲Ｗが撮影出来ないことを知らせる警告を発生する。例えば、カメラ１に設けられたスピーカ（不図示）により警告音を発生させたり、表示ＬＣＤ３や表示パネル７に警告表示をする。続くステップＳ２１４では印刷補正フラグ（後述する）を１にセットし、その後、図６のステップＳ２１８へ進む。
【００４８】
一方、ステップＳ２１０で「（ｆ0／ｆmax）≦Ｍmax」と判定されると、ステップＳ２１５へ進む。ステップＳ２１５では、電子ズーム機能により、表示ＬＣＤ３の中心Ｏを中心とする撮影範囲３１の画像を（ｆ0／ｆmax）倍に拡大する。電子ズーム拡大の際には補間処理等が行われるので、拡大後の画像の画素数はＣＣＤ２１４の画素数と等しい。そのため、印刷解像度ｋはステップＳ２０７で算出された値のままでよい。図８（ｃ）は、撮影範囲３１の画像を（ｆ0／ｆmax）倍に拡大したときに表示ＬＣＤ３に表示される画像を示したものであり、図８（ａ）の撮影範囲３１の画像が表示ＬＣＤ３全体に拡大表示される。
【００４９】
ステップＳ２１６では、ステップＳ２０８で算出された焦点距離ｆ0が、ワイド側の最短焦点距離ｆminより小さいか否かを判定する。ステップＳ２１６において「ｆ0＜ｆmin」と判定されるとステップＳ２１３へ進み、「ｆ0≧ｆmin」と判定されるとステップＳ２１７へ進む。ステップＳ２１６からステップＳ２１７へ進んだ場合には、ステップＳ２１７で印刷補正フラグをゼロにリセットした後に、図６のステップＳ２１８へ進む。
【００５０】
一方、ステップＳ２１６で「ｆ0＜ｆmin」と判定された場合には、焦点距離ｆ0を撮影光学系２の下限値であるｆminに設定しても、図９に示すように、撮影範囲３１は表示ＬＣＤ３よりも大きくなり、範囲３１内の一部の被写体のみが表示される。すなわち、その時の被写体距離Ｌでは、ＣＣＤ２１４の撮像領域には撮影範囲３１よりも小さな範囲しか投影されないことになる。
【００５１】
図６のステップＳ２１８では、レリーズボタン５が全押しされたか否かを判定し、全押しされたと判定されるとステップＳ２１９へ進み、全押しされないと判定されると図５のステップＳ２０５へ戻る。例えば、「ｆ0＜ｆmin」で図９のような状態の場合には、ステップＳ２１８でレリーズボタン５を全押しせずに、ステップＳ２０８で算出される焦点距離ｆ0が「ｆ0≧ｆmin」となるように被写体から遠ざかる。このとき、レリーズボタン５が半押し状態のままならばステップＳ２０５からステップＳ２０７へと進み、いったん半押しを解除した場合にはステップＳ２０５からステップＳ２０１へと戻る。
【００５２】
ステップＳ２１９では、ＣＣＤ２１４で撮像された画像を取り込む。ステップＳ２２０では、印刷補正フラグが１か否かを判定する。ステップＳ２２０で１と判定された場合には、ＣＣＤ２１４の撮像領域全体に撮影範囲Ｗが投影されていないのでステップＳ２２１へ進んで印刷解像度ｋを再計算する。すなわち、ステップＳ２１０からステップＳ２１１へ進んだ場合や、ステップＳ２１６からステップＳ２１３へ進んだ場合には、被写体画像が等倍印刷されるように印刷解像度ｋの再計算を行う。
【００５３】
一方、ステップＳ２２０でゼロと判定された場合には撮像領域全体に撮影範囲Ｗが投影されているので、印刷解像度ｋの再計算を行わずにステップＳ２２２へ進む。
【００５４】
図５のステップＳ２１０からステップＳ２１１へ進んだ場合には、すなわち、図８（ｂ）のように焦点距離ｆがｆ＝ｆmaxで電子ズーム倍率がＭmaxの場合には、式（３）で算出される印刷解像度ｋで印刷すると、表示ＬＣＤ３全体に表示された画像が印刷サイズＳに印刷されて等倍印刷されない。ところで、図８（ｃ）の被写体画像は図８（ａ）の被写体画像を（ｆ0／ｆmax）倍したもので、図８（ｂ）の被写体画像は図８（ａ）の被写体画像をＭmax倍したものである。よって、図８（ｂ）に示す画像を（ｆ0／ｆmax）／Ｍmax倍すると、枠３２内の被写体画像が表示ＬＣＤ３全体に表示される。そこで、次式（４）のように式（３）で算出された印刷解像度ｋを（ｆ0／ｆmax）／Ｍmaxで除算して小さくすれば、枠３２内の被写体画像が印刷サイズＳに印刷されることになる。
【数４】
ｋ＝（Ｎ／Ｓ）／｛（ｆ0／ｆmax）／Ｍmax｝
＝（Ｎ／Ｓ）・（Ｍmax・ｆmax／ｆ0）      …（４）
【００５５】
また、ステップＳ２１６からステップＳ２１３へ進んだ場合には、すなわち、図９のように撮影範囲３１が表示ＬＣＤ３よりも大きい場合には、逆に印刷解像度ｋを大きくする必要がある。図９の範囲３１の画像を（ｆ0／ｆmin）倍すると、表示ＬＣＤ３の大きさと同じになる。すなわち、次式（５）のように式（３）で算出された印刷解像度ｋを（ｆmin／ｆ0）倍すれば、範囲３１の部分の画像が印刷サイズＳで印刷されることになる。
【数５】
ｋ＝（Ｎ／Ｓ）・（ｆmin／ｆ0）      …（５）
【００５６】
その後、ステップＳ２２２において、画像データを所定の形式で圧縮する。ステップＳ２２３では、圧縮された画像データとともに、印刷サイズＳ、印刷解像度ｋ、焦点距離ｆ、被写体距離Ｌ、画素数Ｎ等がタグ情報としてメモリカード４２４に記録される。このようにして、電子カメラ１側で行われる撮影から記録までの一連の処理が終了する。
【００５７】
なお、印刷解像度ｋはＴＩＦＦ形式で記録する場合には、タグ番号２８２〜２８４で規定される画像の幅の解像度、画像の高さの解像度、画像の幅と高さの解像度の単位に記録される。また、Ｅｘｉｆ形式で記録する場合には、タグ番号３７３８６，３７３８２，４１４８６〜４１４８８に定義される被写体距離、レンズ焦点距離、焦点面の高さの解像度、焦点面の幅の解像度、焦点面解像度単位の各情報を記録し、印刷するためのアプリケーションソフトにおいて印刷解像度ｋを算出するようにしても良い。ここで、焦点面解像度はＣＣＤ２１４の画素ピッチＰの逆数である。
【００５８】
この被写体画像を印刷する場合には、上述したように画像データを図３のパソコン２０に取り込んで、パソコン２０に接続されたプリンタ２３で印刷する。このとき、プリンタ２３に印刷サイズＳの印刷用を給紙しておけば、被写体画像がほぼ等倍で印刷される。なお、印刷用の周辺部分が余白として印刷されない場合には、等倍よりも若干小さく印刷されることになる。また、印刷サイズＳより大きな用紙を給紙した場合であっても、印刷時の解像度をタグ情報として記憶されている印刷解像度ｋに等しく設定することにより、等倍印刷を行うことができる。
【００５９】
上述した第１の実施の形態は、以下のような特徴を有する。
（ａ）電子カメラ１において指定サイズ撮影モードに設定すると、撮影範囲が指定されたサイズとなるように撮影光学系２が自動的に調整される。その結果、表示ＬＣＤ３には、指定サイズの用紙に印刷されるものと同じ範囲の被写体画像が表示される。そのため、印刷画像の状況を確認しつつ撮影を行うことができるので、適切な被写体画像を撮影することができる。
（ｂ）被写体距離が遠すぎたり近すぎたりした場合には、図８（ｂ）のように表示ＬＣＤ３に枠３２が表示されたり、警告が発生されるので、使用者は被写体距離が適切でないことを容易に認識することができる。
（ｃ）画像を印刷する際に、表示ＬＣＤ３または表示パネル７に表示される印刷サイズと同じサイズの印刷用紙を給紙することにより、被写体画像が実物と同じ大きさで印刷される。
（ｄ）表示ＬＣＤ３または表示パネル７に表示される印刷サイズと同じサイズの印刷用紙が給紙されていない場合でも、タグ情報として記憶されている印刷解像度ｋで印刷することにより、容易に等倍印刷を行うことができる。
【００６０】
上述した第１の実施の形態では、指定撮影範囲を複数のサイズに設定できたが、予め単一のサイズのみに設定されるような電子カメラであっても良い。この場合、表示ＬＣＤ３や表示パネル７に印刷サイズを表示する代わりに、モード切換ボタン１２の位置に印刷サイズを標記しても良い。印刷する際には、この標記と同一サイズの印刷用紙をプリンタ２３に給紙すれば、自動的に等倍印刷ができる。
【００６１】
《変形例１》
変形例１では図５に示すフローチャートを図１０に置き換えたもので制御される。図１０のフローチャートにおいて図５と同一処理の部分には同一のステップ符号を付し、ステップＳ３０１およびステップＳ３０２の部分が図５と異なる。また、図１０に続く手順は図６に示したものと同様であるので図示および説明を省略する。
【００６２】
変形例１では、ステップＳ２０１において指定サイズ撮影モードと判定されると、ステップＳ３０１に進んで撮影光学系２がマクロ領域のテレ端に移動される。こうすることによってレンズの被写界深度が浅くなり、距離Ｌの測定精度が高くなる。その結果、ズーム倍率の設定をより精度良く行うことができる。
【００６３】
また、ステップＳ２１６において「ｆ0＜ｆmin」と判定された場合には、すなわち、被写体距離Ｌが小さすぎて撮影光学系２をワイド端（ｆ＝ｆmin）にしても、図９のように撮影範囲３１が表示ＬＣＤ３よりも大きい場合には、ステップＳ３０２へ進んで、撮影画像の大きさが（ｆ0／ｆmin）倍に縮小されるように画素を間引く。ステップＳ３０２において間引き処理が終了したならば、ステップＳ２１７へ進んで印刷補正フラグをゼロにリセットする。すなわち、ステップＳ３０２で間引き処理された場合には、印刷解像度ｋの再計算は不要となる。
【００６４】
《変形例２》
図１１は第２の変形例を示す図であり、図１０に示したのと同様の部分のフローチャートである。図１１のフローチャートでは、ステップＳ２１６で「ｆ0＜ｆmin」と判定されたときの処理が異なる。すなわち、ステップＳ２１６で「ｆ0＜ｆmin」と判定されると、ステップＳ４０１へ進んで撮影画像の画素を１／４に間引くとともに、ステップＳ２０７で算出されて記憶されている距離Ｌを２・Ｌに置き換える。
【００６５】
画素を１／４に間引くと、画像の水平方向画素は１／２に間引かれ、垂直方向画素も１／２に間引かれる。その結果、印刷される画像の大きさは長さで半分になるので、あたかも被写体距離Ｌが２倍になったことに相当する。ステップＳ４０１の処理が終了したならば、ステップＳ２０８に進んで、置き換えられた新しいＬを用いて焦点距離ｆ0が算出される。変形例２の場合には、撮影画像の大きさに依らず画素を１／４に間引いているので、変形例１の間引き処理に比べ簡単になる。
【００６６】
−第２の実施の形態−
上述した第１の実施の形態では撮影範囲Ｗを印刷サイズＳで指定して、その範囲Ｗの被写体が等倍印刷されるようにしたが、第２の実施の形態では指定された印刷サイズＳの用紙に被写体画像をＺ倍して印刷する。印刷倍率Ｚを設定する際には、メニューボタン１０を操作して印刷倍率設定メニューを表示ＬＣＤ３に表示させ、１１ａ〜１１ｄの操作により表示された複数の印刷倍率から所望の倍率を選択する。モード切換ボタン１２により指定サイズ撮影モードに切り換えられると、撮影範囲Ｗが指定された印刷サイズＳを印刷倍率Ｚで除算した値に設定される。なお、撮影範囲の設定方法については後述する。なお、電子カメラ１やカメラシステムのその他の構成は第１の実施の形態と同様であり、以下ではＺ倍印刷の場合の制御方法について説明する。
【００６７】
図１２は撮影範囲ＷとＣＣＤ２１４との関係を示す図である。第１の実施の形態と同様に焦点距離ｆ0，撮影光学系２と撮像面との距離ｆ’および被写体距離Ｌの間には式（１）の関係が成り立っている。
【数６】
１／Ｌ＋１／ｆ’＝１／ｆ0      …（１）
【００６８】
また、ＣＣＤ２１４の撮像領域全体に投影され被写体像を印刷サイズＳの印刷用紙に印刷したときに、被写体がＺ倍に印刷されるためには、図１２に示すように印刷サイズＳを（１／Ｚ）倍した撮影範囲Ｗ＝Ｓ／ＺがＣＣＤ２１４上に投影されればよい。そのため、電子カメラ１の焦点距離ｆを、式（１）と次式（６）との両方が満足されるような焦点距離ｆ0に調整すれば良い。印刷解像度ｋについては、第１の実施の形態と同様に式（３）のように設定する。
【数７】
ｆ’／Ｌ＝Ｎ・Ｐ／（Ｓ／Ｚ）
ｆ’＝（Ｎ・Ｐ・Ｌ・Ｚ）／Ｓ      …（６）
ｋ＝Ｎ／Ｓ      …（３）
【００６９】
カメラシステムの撮影から印刷までの概略手順およびカメラ側の手順は第１の実施の形態と同様なので説明を省略する。ただし、図６のステップＳ２２３では印刷倍率Ｚもタグ情報として記憶される。この第２の実施の形態では、印刷する際に撮影時に設定した印刷サイズＳと同サイズの用紙をプリンタ２３に給紙すれば、自動的に倍率Ｚの被写体画像が印刷される。そのため、非常に簡単に被写体画像のＺ倍印刷を行うことができる。
【００７０】
−第３の実施の形態−
上述した第１および第２の実施の形態では、電子カメラ１に印刷サイズＳを入力するような構成とし、その印刷サイズＳに基づいて撮影光学系２を制御した。第３の実施の形態では、プリンタ２３の印刷可能範囲が印刷されたチャート紙を用いて、ＣＣＤ２１４上に印刷可能範囲と等しい大きさの撮影範囲Ｗが投影されるようにキャリブレーションを行う。なお、このキャリブレーションは、例えば、図１のコマンドダイヤル６の操作して、電子カメラ１をキャリブレーションモードに設定した後に行われる。
【００７１】
なお、キャリブレーションを行う際には、印刷可能範囲が印刷されたチャートを予めプリンタ２３により印刷しておく。一般的に、印刷用紙の周辺部分は印刷が不可な余白領域とされ、その内側の矩形領域が印刷可能範囲となる。そのため、例えば、Ａ４サイズ用紙であれば、Ａ４サイズより若干小さめの矩形枠が印刷される。
【００７２】
図１３はキャリブレーションの手順を示すフローチャートであり、コマンドダイヤル６によりキャリブレーションモードに設定されるとスタートする。ステップＳ５０１では、電子カメラ１の撮影光学系２をマクロ領域にした後に、焦点距離を最大のテレ端（ｆmax）に設定する。使用者は、ステップＳ５０１の設定状態でチャート紙に向けて電子カメラ１を構える。
【００７３】
ステップＳ５０２では、チャート紙までの距離Ｌmaxが測定される。ステップＳ５０３では、電子カメラ１により撮像されているチャート紙画像が表示ＬＣＤ３に表示される。使用者は、表示されているチャート紙の矩形枠と表示ＬＣＤ３の表示枠とが一致するように、チャート紙に近づくか、または遠ざかる。そして、チャート紙の矩形枠と表示ＬＣＤ３の表示枠とが一致したところでレリーズボタン５を全押しする。
【００７４】
ステップＳ５０４では、電子カメラ１のレリーズボタン５が全押しされたか否かを判定し、ＹＥＳと判定されるとステップＳ５０５へ進み、ＮＯと判定されるとステップＳ５０２へ戻る。このキャリブレーションモードでは、レリーズボタン５が全押しされると、ステップＳ５０５へ進んで合焦動作のみが行われる。
【００７５】
ステップＳ５０６では、撮影光学系２をマクロ領域にした後に、焦点距離を最小のワイド端（ｆmin）に設定する。使用者は、再びチャート紙に向けて電子カメラ１を構える。ステップＳ５０７ではチャート紙までの距離Ｌminが測定され、続くステップＳ５０８においてチャート紙画像が表示ＬＣＤ３に表示される。この場合も、チャート紙の矩形枠と表示ＬＣＤ３の表示枠とが一致するようにチャート紙に近づくかまたは遠ざかり、一致したところでレリーズボタン５を全押しする。
【００７６】
ステップＳ５０９では、レリーズボタン５が全押しされたか否かを判定し、ＹＥＳと判定されるとステップＳ５１０へ進み、ＮＯと判定されるとステップＳ５０７へ戻る。次いで、ステップＳ５１０で合焦動作が行われた後に、ステップＳ５１１で距離Ｌmin，Ｌminが記憶され、一連のキャリブレーション処理が終了する。
【００７７】
キャリブレーション後、指定サイズ撮影モードにおいては、記憶された距離Ｌmin，Ｌminに基づいて算出される式（７）の焦点距離ｆ0となるように電子カメラ１が制御される。その結果、チャート紙の矩形枠と同じ大きさの撮影範囲ＷがＣＣＤ２１４の撮像領域全体に投影されることになり、撮影された被写体画像をサイズＳの印刷用紙に印刷すると等倍印刷される。
【数８】
ｆ0＝fmin＋{(fmax−fmin)／(Lmax−Lmin)}・(L−Lmin)  …（７）
【００７８】
ところで、上述した第１および第２の実施の形態では、図７のｆ’が次式（１），（２）を満足するように焦点距離ｆ0を調整することにより、印刷サイズＳの撮影範囲ＷがＣＣＤ２１４の撮像領域の全体に投影されるようにした。しかし、式（２）にはレンズのバラツキなどによる誤差が考慮されておらず、式（２）を誤差の補正係数αを用いてより正確に書き直すと式（８）のようになる。すなわち、上述した第１および第２の実施の形態ではこの補正係数αが考慮されていないので、その分だけ焦点調整の精度が落ちる。
【数９】
１／Ｌ＋１／ｆ’＝１／ｆ0      …（１）
ｆ’＝（Ｎ・Ｐ・Ｌ）／Ｗ       …（２）
ｆ’＝（Ｎ・Ｐ・Ｌ）／（Ｗ・α）       …（８）
【００７９】
しかし、第３の実施の形態では、チャート紙の矩形枠を実際にＣＣＤ２１４の撮像領域全体に投影させ、そのときのデータＬmin，Ｌminに基づいて焦点距離ｆ0を算出しているので、この焦点距離ｆ0にはレンズの誤差の影響も含まれている。そのため、第１および第２の実施の形態よりも精度良く制御することができる。
【００８０】
上述した実施の形態では、光学ズーム機能と電子ズーム機能との両方を有する電子カメラおよびカメラシステムを例に説明したが、本発明は、どちらか一方のみを有する電子カメラおよびカメラシステムにも適用することができる。また、印刷解像度ｋの演算をカメラ側で行っているが、カメラ側から印刷手段（ＰＣ２０，プリンタ２３）側に取り込まれた画素数Ｎ、印刷サイズＳに基づいて印刷手段側で演算を行っても良い。
【００８１】
以上説明した実施の形態と特許請求の範囲の要素との対応において、撮影光学系２はズームレンズを、レンズ駆動回路４３０はズーム変更手段を、ＣＣＤ２１４は撮像部を、モード切換ボタン１２およびＣＰＵ４３９はモード設定手段を、印刷サイズＳは所定サイズを、メニューボタン１０および選択ボタン１１ａ〜１１ｄは倍率設定部およびサイズ設定部を、枠３２は範囲表示マークを、ＤＳＰ４３３は電子ズーム手段および間引き手段を、表示ＬＣＤ３は表示モニタおよび警告手段を、プリンタ２３は印刷装置を、ＣＰＵ４３９は測距部，ズーム制御部、焦点距離演算部および電子ズーム制御部をそれぞれ構成する。
【００８２】
【発明の効果】
以上説明したように、本発明によれば、所定サイズと同じ大きさの用紙に被写体画像を印刷することにより、被写体と同じ大きさの等倍画像を容易に印刷することができる。
請求項２の発明では、所定サイズの印刷用紙に、設定された印刷倍率で被写体画像が印刷される。
請求項４の発明では、所定サイズの基準画像を撮像領域のほぼ全域に投影したときに検出された複数の被写体距離に基づいて、撮影範囲内の被写体が撮像領域のほぼ全域に投影される焦点距離を算出するようにしているので、ズームレンズのバラツキなどによる誤差の影響を排除することができる。
請求項５の発明では、被写体画像とともに範囲表示マークを表示モニタに表示するようにしたので、適切な被写体距離で撮影しているか否かを容易に認識することができる。また、請求項８の発明では、適切な被写体距離でないときには警告を発するようにしたので、請求項５の発明と同様の効果を得ることができる。
【図面の簡単な説明】
【図１】本発明による電子カメラの第１の実施の形態を示す図であり、（ａ）は電子カメラを上方から見た平面図、（ｂ）は後方から見た背面図である。
【図２】電子カメラ１の回路ブロック図である。
【図３】カメラシステムの概略構成図である。
【図４】図３のカメラシステムにおける撮影から印刷までの手順を示す図である。
【図５】図４のステップＳ１０１からステップＳ１０３までの手順を詳細に示すフローチャートである。
【図６】図５に続く処理手順を示すフローチャートである。
【図７】撮影範囲ＷとＣＣＤ２１４との撮像領域との関係を示す図である。
【図８】表示ＬＣＤ３に表示された被写体画像を示す図であり、（ａ）はｆ＝ｆmaxのときの画像を、（ｂ）は（ａ）の画像をＭmax倍に電子ズーム拡大した画像を、（ｃ）は（ａ）の画像を（ｆ0／ｆmax）倍に電子ズーム拡大した画像をそれぞれ示す。
【図９】ｆ＝ｆminのときの撮影範囲３１と表示ＬＣＤ３との関係を示す図である。
【図１０】変形例１の制御手順を示すフローチャートである。
【図１１】変形例２の制御手順を示すフローチャートである。
【図１２】第２の実施の形態における撮影範囲ＷとＣＣＤ２１４との関係を示す図である。
【図１３】キャリブレーションの手順を示すフロ−チャートである。
【符号の説明】
１  電子カメラ
２  撮影光学系
３  表示ＬＣＤ
１０  メニューボタン
１１ａ〜１１ｄ  選択ボタン
１２  モード切換ボタン
２３  プリンタ
３０  被写体画像
３１，Ｗ  撮影範囲
３２  枠
３３  マーク
２１４  撮像部
４３０  レンズ駆動回路
４３３  ＤＳＰ
４３９  ＣＰＵ
４２４  メモリカード
Ｓ  印刷サイズ
【図１】
0005034148.tif 000002
【図２】
0005034148.tif 000003
【図３】
0005034148.tif 000004
【図４】
0005034148.tif 000005
【図５】
0005034148.tif 000006
【図６】
0005034148.tif 000007
【図７】
0005034148.tif 000008
【図８】
0005034148.tif 000009
【図９】
0005034148.tif 000010
【図１０】
0005034148.tif 000011
【図１１】
0005034148.tif 000012
【図１２】
0005034148.tif 000013
【図１３】
0005034148.tif 000014